(57)【要約】      （修正有）【課題】約定の情報を即時に依頼者へ伝え、依頼者に約定の情報の確認を促すことを可能とするシステムを提供する。【解決手段】証券会社は約定が成立する毎に約定情報を依頼者が確認することが可能なＷＥＢページのアドレスを付加したメールを依頼者の携帯電話に送信する。依頼者はメールに付加されたアドレスにアクセスする事で約定情報を確認する。また、メールに付加されたアドレスに一定期間を経てもアクセスが行われない場合、証券会社が依頼者に面会、電話、ＦＡＸ等の手段を用い、約定情報を伝える事で課題の解決を図る。【選択図】図１
2007052554.tif 000002
【特許請求の範囲】
【請求項１】
約定情報を元に約定情報を表示するＷＥＢアドレスを生成し、ＷＥＢページにアクセスするためのアドレスを添付したメールを携帯電話に送信する処理。
【請求項２】
約定情報表示するＷＥＢページに依頼者がアクセスしたかを確認し、依頼者がアクセスしていない場合にアドレス情報を出力し証券会社が依頼者に対してフォローを行う処理。
【発明の詳細な説明】
【技術分野】
【０００１】
本発明は、株式等の売買が成立（以下約定と表記）した際、約定の情報を株式等の売買を依頼された証券会社等（以下証券会社と表記）が株式等の売買の依頼者（以下依頼者と表記）の携帯電話にメールにて通知するシステムに関するものである。
【背景技術】
【０００２】
従来、証券会社等では、約定の情報を依頼者に伝える手段として、証券会社の店頭で直接依頼者に伝える、証券会社の人間が依頼者を尋ね直接伝えること以外に電話、ＦＡＸ等の通信回線を用いて約定の情報を依頼者に伝えていた。
【０００３】
従来の約定情報伝達には、下記のような欠点が存在する。
１従来の手法では必ず人間の手を介する為、情報伝達の際に情報の正確性を欠く可能性がある。
２証券会社の店頭で依頼者へ直接、約定の情報を伝える場合は、依頼者が証券会社の店頭に来店しなければならない。
３証券会社の人間が依頼者を尋ね直接約定の情報を伝える場合には移動等のタイムラグが発生する。
４電話を利用して約定の情報を伝える際、必ず依頼者が電話口に出るとは限らない。
５証券会社が依頼者にＦＡＸ送信後、必ず依頼者がＦＡＸを確認するとは限らない。
【発明の開示】
【発明が解決しようとする課題】
【０００４】
本発明は以上のような欠点に鑑み、約定の情報を即時に依頼者へ伝え、依頼者に約定の情報の確認を促すことを可能とするシステムを提供することを目的としている。
【課題を解決するための手段】
【０００５】
上記目的を達成するために、本発明では下記手段により解決する。
１依頼者は、パソコンインターネットネットを用いた申込、携帯電話インターネットを用いた申込、申込書記入等の方法により、約定情報のメール配信を希望する携帯電話のメールアドレス、約定情報確認の際に使用するパスワードを本システムに登録しておく。
２本システムのサーバは、依頼者の約定が成立した際、約定情報を確認するためのＷＥＢページのＵＲＬを生成する。
３本システムのサーバは、約定情報を確認するためのＷＥＢページのＵＲＬを添付したメールを依頼者の携帯電話のメールアドレスに送信する。
４依頼者は、本システムから送信されたメールを閲覧し、添付されたＵＲＬに携帯電話でアクセスを行う。本システムのサーバは、パスワードの入力を求める画面を携帯電話に表示させ、依頼者にパスワードを入力させる。サーバは、依頼者から入力されたパスワードが正当であると確認すれば、約定情報を閲覧するためのＷＥＢページを表示させる。
５本システムのサーバは約定情報を確認するためのＷＥＢページにアクセスがあった事を記録する。
６本システムのサーバは、依頼者の携帯電話のメールアドレスにメールを送信後、一定期間を過ぎても約定情報を確認するためのＷＥＢページにアクセスがない場合、証券会社に通知を行う。
７証券会社は通知のあった依頼者と連絡をとり、約定が成立している旨を伝える。
【発明の効果】
【０００６】
本システムを利用する事によって、証券会社は約定の成立の際に依頼者に対して行う連絡の業務が簡素化される。依頼者は約定の成立と同時に情報を得る事が可能となる。さらに依頼者が約定情報を閲覧するためのＷＥＢページにアクセスしている事を確認し、一定期間アクセスが無い場合依頼者に電話等にて連絡を取る事で依頼者に約定情報が伝達されない事態を回避できる。
【０００７】
依頼者は約定の情報を迅速に得ることが可能となる。
また、依頼者がＷＥＢページにアクセスして約定情報の閲覧ができなかった場合、証券会社より連絡があることで確実に約定情報を得る事が可能となる。
【発明を実施するための最良の形態】
【０００８】
以下、図面に示す発明を実施するための最良の形態により、本発明を詳細に説明する。
【０００９】
以下本発明を、図面を用いて詳細に説明する。図１は本発明に係わる株式等売買における約定情報メール配信システムの実施例を示す構成ブロック図である。
【００１０】
図１において、１０１は依頼者が使用する携帯電話である。１０２はメール配信登録サーバである。１０３はデータベースサーバである。１０４はＷＥＢサーバである。１０５はメール配信サーバである。１０６はアクセス管理サーバである。
【００１１】
ここで、図１に示す実施例の動作を、図２、図３、図４、図５を用いて説明する。図２、図３、図４、図５はシステムの動作を示したシーケンス図である。
【００１２】
図２中“２０１”において、依頼者は携帯電話１０１を用い、メール配信登録サーバ１０２に接続する。
【００１３】
図２中“２０２”において、携帯電話１０１は、メール配信登録サーバ１０２に接続したあと、メール配信登録サーバ１０２に対し、メール配信依頼画面を送信するように要求する。
【００１４】
図２中“２０３”において、メール配信登録サーバ１０２は、携帯電話１０１から送信された要求に応じ、メール配信依頼画面を送信する。
【００１５】
図２中“２０４”において、携帯電話１０１は、メール配信依頼画面を取得し表示する。
【００１６】
図２中“２０５”において、依頼者は携帯電話１０１へメール配信を希望する携帯電話のメールアドレス、氏名等の依頼者情報、パスワードを入力する。
【００１７】
図２中“２０６”において、携帯電話１０１はメール配信を希望する携帯電話のメールアドレス、氏名等の依頼者情報、パスワードをメール配信登録サーバ１０２へ送信する。
【００１８】
メール配信登録サーバ１０２は、メール配信を希望する携帯電話のメールアドレス、氏名等の依頼者情報、パスワードを、携帯電話１０1より取得する。
【００１９】
図２中“２０７”において、メール配信登録サーバ１０２は、メール配信を希望する携帯電話のメールアドレス、氏名等の依頼者情報、パスワードを、データベースサーバ１０３へ送信する。
【００２０】
図２中“２０８”において、データベースサーバ１０３はメール配信登録サーバ１０２から受信した情報を保存する。
【００２１】
図２中“２０９”において、データベースサーバ１０３はメール配信登録サーバ１０２から受信した情報が正常に保存されたことをメール配信登録サーバ１０２に通知する。
【００２２】
図２中“２１０”において、メール配信登録サーバ１０２は、メール配信を希望する携帯電話のメールアドレス、氏名等の依頼者情報、パスワードが正しくデータベースサーバ１０３へ保存された事を通知する画面を携帯電話１０１へ送信する。
【００２３】
図２中“２１１”において、携帯電話１０１はメール配信を希望する携帯電話のメールアドレス、氏名等の依頼者情報、パスワードが正しく保存された事を通知する画面を表示する。
【００２４】
図３中“２１２”において、約定情報入力元は、約定情報を送信する。
【００２５】
図３中“２１３”において、メール配信サーバ１０５は、約定情報を元にデータベースサーバ１０３に対し約定情報に対応したメール配信先が登録されているか検索を依頼する。
【００２６】
図３中“２１４”において、データベースサーバ１０３はメール配信サーバ１０５から依頼された検索を行う。
【００２７】
図３中“２１５”において、検索の結果、メール配信先が登録されていた場合、データベースサーバ１０３はメール配信サーバ１０５へメール配信を希望する携帯電話のメールアドレス、氏名等の依頼者情報、パスワードを送信する。
【００２８】
図３中“２１６”において、メール配信サーバ１０５は約定情報を表示するＷＥＢページにアクセスするためのアドレスを生成し、メールを作成する。ここで用いるアドレスは一つの約定情報に対し一つのユニークなアドレスが用いられる。
【００２９】
図３中“２１７”において、メール配信サーバ１０５はメール配信を希望する依頼者の携帯電話（携帯電話１０１）のメールアドレスへ送信する。
【００３０】
図３中“２１８”において、携帯電話１０１は約定情報を表示するＷＥＢページにアクセスするためのアドレスを添付したメールを受信し表示する。
【００３１】
図３中“２１９”において、メール配信サーバ１０５は約定情報、約定情報を表示するＷＥＢページにアクセスするためのアドレス、メール配信を希望する携帯電話のメールアドレス、氏名等の依頼者情報、パスワード、約定情報を表示するＷＥＢページにアクセスするためのアドレスを添付したメールを依頼者の携帯電話（携帯電話１０１）のメールアドレスへ送信した日時（以下送信日時と表記）をデータベースサーバ１０３へ送信する。
【００３２】
図３中“２２０”において、データベースサーバ１０３はメール配信サーバ１０５から受信した情報を保存する。
【００３３】
図３中“２２１”において、データベースサーバ１０３はメール配信サーバ１０５から受信した情報が正常に保存されたことをメール配信サーバ１０５に通知する。
【００３４】
図４中“２２２”において、依頼者は携帯電話１０１を用い、約定情報を表示するＷＥＢページにアクセスするためのアドレス（ＷＥＢサーバ１０４）にアクセスする。
【００３５】
図４中“２２３”において、携帯電話１０１は約定情報を表示するＷＥＢページにアクセスするためのアドレス（ＷＥＢサーバ１０４）にアクセスする。
【００３６】
図４中“２２４”において、ＷＥＢサーバ１０４は要求されたアドレスがデータベースサーバ１０３へ登録されているかデータベースサーバ１０３へ検索を依頼する。
【００３７】
図４中“２２５”において、データベースサーバ１０３はＷＥＢサーバ１０４から依頼された検索を行う。
【００３８】
図４中“２２６”において、検索の結果、要求されたアドレスが登録されていた場合、データベースサーバ１０３はＷＥＢサーバ１０４へ約定情報、パスワードを送信する。
【００３９】
図４中“２２７”において、ＷＥＢサーバ１０４はパスワード入力画面を携帯電話１０１へ送信する。
【００４０】
図４中“２２８”において、携帯電話１０１はパスワード入力画面を表示する。
【００４１】
図４中“２２９”において、依頼者はパスワードを入力する。
【００４２】
図４中“２３０”において、携帯電話１０１はパスワードをＷＥＢサーバ１０４へ送信する。
【００４３】
図４中“２３１”において、ＷＥＢサーバ１０４は取得したパスワードが正当か判別する。
【００４４】
図４中“２３２”において、ＷＥＢサーバ１０４は取得したパスワードが正当であれば約定情報表示画面を携帯電話１０１へ送信する。
【００４５】
図４中“２３３”において、携帯電話１０１は取得した約定情報表示画面を表示する。
【００４６】
図４中“２３４”において、ＷＥＢサーバ１０４は約定情報表示画面を携帯電話１０１へ送信した日時（以下閲覧日時と表記）をデータベースサーバ１０３へ送信する。
【００４７】
図４中“２３５”において、データベースサーバ１０３は受信した閲覧日時を保存する。
【００４８】
図４中“２３６”において、データベースサーバ１０３はＷＥＢサーバ１０４から受信した情報が正常に保存されたことをＷＥＢサーバ１０４に通知する。
【００４９】
図５中“２３７”において、アクセス管理サーバ１０６は送信日時から一定期間を経ても閲覧日時が保存されていない約定情報の検索をデータベースサーバ１０３へ依頼する。
【００５０】
図５中“２３８”において、データベースサーバ１０３はアクセス管理サーバ１０６から依頼された検索を行う。
【００５１】
図５中“２３９”において、タベースサーバ１０３はアクセス管理サーバ１０６へ検索結果を送信する。
【００５２】
図５中“２４０”において、アクセス管理サーバ１０６は検索結果を証券会社の担当者へ通知する。
【００５３】
図５中“２４１”において、証券会社の担当者は約定情報を確認していない依頼者に電話等を用いて連絡を行う。
【図面の簡単な説明】
【００５４】
【図１】本発明を実施するための最良の形態の構成図
【図２】システムの動作を示したシーケンス図
【図３】システムの動作を示したシーケンス図
【図４】システムの動作を示したシーケンス図
【図５】システムの動作を示したシーケンス図
【図１】
2007052554.tif 000003
【図２】
2007052554.tif 000004
【図３】
2007052554.tif 000005
【図４】
2007052554.tif 000006
【図５】
2007052554.tif 000007